(57)【要約】【課題】  クラブヘッドの重心位置を選択的に前後及び左右の広範囲に移動できるようにする。【解決手段】  クラブヘッド２がクラブフェース部２１とその後面中央から後方に延びるヘッド本体２３とを備える。ヘッド本体２２に上面に前後方向に延びる摺動溝２２ａを形成する。摺動溝２２ａにネック体４を備える摺動体５を摺動可能に支持し、ヘッド本体２２に摺動体５をヘッド本体２２の任意の摺動位置で固定してクラブヘッド重心位置を前後に変更する固定ボルト６を設ける。摺動体５とネック体４とを別体により形成する。摺動体５は取付頭部５１を有し、その頭部５１に左右方向に延びる摺動孔５１ａを形成する。摺動孔５１ａに摺動横杆４１を突設したネック体４を摺動可能に支持し、取付頭部５１に摺動横杆４１を任意の左右摺動位置で固定してクラブヘッド２の重心位置を左右に変更する締付ネジ７を設けた。【選択図】図１
2008253716.tif 000002
【特許請求の範囲】
【請求項１】
クラブヘッドとシャフトとこれらクラブヘッドとシャフトとを連結するネック体とからなり、クラブヘッドがクラブフェース部と、クラブフェース部の後面中央から後方に延びるヘッド本体とを備えると共に、ヘッド本体にはその上面に前後方向に延びる摺動溝が形成されて、該摺動溝にネック体を備える摺動体が摺動可能に支持され、かつ、ヘッド本体に摺動体をヘッド本体の任意の摺動位置で固定してクラブヘッドの重心位置を前後に変更する第１固定具が設けられたゴルフパターにおいて、摺動体とネック体とが別体により形成され、摺動体はヘッド体よりも上方に突出する取付頭部を有し、その頭部に左右方向に延びる摺動孔が形成されて、該摺動孔に摺動横杆を突設したネック体がその摺動横杆を介して摺動可能に支持され、かつ、取付頭部に摺動横杆を任意の左右摺動位置で固定してクラブヘッドの重心位置を左右に変更する第２固定具が設けられていることを特徴とするゴルフパター。
【発明の詳細な説明】
【技術分野】
【０００１】  本発明は、クラブヘッドとシャフトとこれらクラブヘッドとシャフトとを連結するネック体とからなるゴルフパターに関する。
【背景技術】
【０００２】  従来、ゴルフパターとして、クラブヘッドとシャフトとこれらクラブヘッドとシャフトとを連結するネック体とからなり、クラブヘッドがクラブフェース部と、クラブフェース部の後面中央から後方に延びるヘッド本体とを備えると共に、ヘッド本体にはその上面に前後方向に延びる摺動溝が形成されて、該摺動溝にネック体を備える摺動体が摺動可能に支持され、かつ、ヘッド本体と摺動体とに摺動体をヘッド本体の任意の摺動位置で固定してクラブヘッドの重心位置を前後に変更する固定手段が設けられたものが知られている（特許文献１参照。）。【０００３】  このゴルフクラブのパターによれば、上記固定手段を解除して摺動体のヘッド本体に対する固定位置を前後に変更することが可能で、これにより、各ゴルフ場のグリーンの芝などの状況に合わせて迅速容易にクラブヘッドの重心位置を前後方向に対して選択変更できるようになされている。
【特許文献１】  実用新案登録第３１１８１３号
【発明の開示】
【発明が解決しようとする課題】
【０００４】  ところが、上記したゴルフパターによれば、摺動体のヘッド本体に対する固定位置を前後に変更することにより、クラブヘッドの重心位置を前後方向に対して選択することができるけれども、その選択範囲が前後方向のみの直線的な範囲に限られ、クラブヘッドの重心位置を左右方向に対しては選択することができないものであった。つまり、各プレーヤーによってシャフトの握り方や姿勢、振り方等がそれぞれ異なることから、ゴルフパターを購入するとき、各プレーヤーは自分に合うようにクラブヘッドの左右方向の重心位置についてもクラブヘッドに対するシャフトの位置がクラブヘッドの左右センターよりか、プレーヤーのヒール側よりかにより選んでいるのであるが、クラブヘッドの重心位置を左右方向に対しては選択できないものであった。加えて、上記摺動体のヘッド本体に対する固定位置を後方に位置させた場合、微妙にぶれ易くなるといった傾向があり、これに対しても対処が困難となるものであった。【０００５】  そこで、本発明はクラブヘッドの重心深度が深めでヘッド重量を重くして、ボールの転がりを良くすることができながら、各ゴルフ場のグリーンの芝などの状況に合わせてクラブヘッドの重心位置を前後方向に変更でき、しかもクラブヘッドの重心位置を左右方向についても変更できるようにして、クラブヘッドの重心位置を平面的な広範囲において選択変更できるゴルフパターの提供を課題とする。
【課題を解決するための手段】
【０００６】  上記した問題を解決するために、本発明は、クラブヘッドとシャフトとこれらクラブヘッドとシャフトとを連結するネック体とからなり、クラブヘッドがクラブフェース部と、クラブフェース部の後面中央から後方に延びるヘッド本体とを備えると共に、ヘッド本体にはその上面に前後方向に延びる摺動溝が形成されて、該摺動溝にネック体を備える摺動体が摺動可能に支持され、かつ、ヘッド本体に摺動体をヘッド本体の任意の摺動位置で固定してクラブヘッドの重心位置を前後に変更する第１固定具が設けられたゴルフパターにおいて、摺動体とネック体とが別体により形成され、摺動体はヘッド体よりも上方に突出する取付頭部を有し、その頭部に左右方向に延びる摺動孔が形成されて、該摺動孔に摺動横杆を突設したネック体がその摺動横杆を介して摺動可能に支持され、かつ、取付頭部に摺動横杆を任意の左右摺動位置で固定してクラブヘッドの重心位置を左右に変更する第２固定具が設けられていることを特徴とする。
【発明の効果】
【０００７】  本発明のゴルフクラブのパターによれば、たとえば平面視Ｔ字型のクラブヘッドで、ネック体がクラブヘッドの上部中央の後方部に取付けられる構造であるから、クラブヘッドの重心深度が深めでヘッド重量を重くして、ボールの転がりを良くすることができながら、第１固定具を解除して摺動体のヘッド本体に対する固定位置を変更することにより、各ゴルフ場のグリーンの芝などの状況に合わせて迅速容易にクラブヘッドの重心位置の前後方向に変更できる。しかも、摺動体とネック体とが別体により形成され、摺動体にはヘッド体よりも上方に突出する取付頭部を有し、その頭部に左右方向に延びる摺動孔が形成されて、該摺動孔にネック体が摺動横杆を介して摺動可能に支持され、かつ、取付頭部にネック体を任意の左右摺動位置で固定してクラブヘッドの重心位置を左右に変更する第２固定具が設けられているから、第２固定具を解除して摺動横杆の取付頭部に対する固定位置を変更することにより、ネック体を任意の左右摺動位置で固定してクラブヘッドの重心位置を左右方向についても上記した前後方向と共に変更することができる。これにより、各プレーヤそれぞれに合うようにクラブヘッドの重心位置を平面的な広範囲において選択変更することが可能で、各プレーヤに合った最適なストロークを行うことが可能になる。
【発明を実施するための最良の形態】
【０００８】  以下、本発明の実施の形態を図に基づいて説明する。
図は本発明のゴルフパターを示すもので、該パター１は、図１及び図２に示すようにクラブヘッド２とシャフト３とこれらクラブヘッド２とシャフト３とを連結するネック体４とからなる。【０００９】  クラブヘッド２は図２〜図４に示すようにクラブフェース部２１とクラブフェース部２１の後面中央から後方に一体的に延びるヘッド本体２２とを備え、全体として平面視Ｔ字状を呈している。また、クラブフェース部２１の両側後面からヘッド本体２２の側面後部に延びる適宜重さで円弧状のバランスブリッジ２３，２３が取り付けられている。【００１０】  そして、ヘッド本体２２には、図２、図５〜図７に示すように上面に前後方向に延びる断面蟻溝形状の摺動溝２２ａが形成され、該摺動溝２２ａにはネック体４を備える断面蟻溝形状の摺動体５が摺動可能に支持されると共に、ヘッド本体２２には図６に示すようにその底部中央から摺動溝２２ａに突出して、摺動体５をヘッド本体２２の任意の摺動位置に固定する固定ボルト（第１固定具）６が設けられている。なお、固定ボルト６の頭部は図６に示すように芝との干渉による悪影響がでないようにヘッド本体２２の底面と同一もしくはやや内側に入り込むように設けられる。【００１１】  一方、摺動体５とネック体４とは別体により形成され、摺動体５はその前端上部にヘッド本体２２よりも上方に突出する取付頭部５１を有し、その頭部５１に左右方向に貫通する摺動孔５１ａが形成されている。また、ネック体４は左右方向（クラブフェース面と平行）に延び、摺動孔５１ａに摺動可能に支持される摺動横杆４１と、摺動横杆４１の基部から前方、つまりクラブフェース面側に延びる水平部４２と、水平部４２から上方に立ち上がる立上部４３とを備えている。斯くしてネック体４は、図３に示すように摺動横杆４１と水平部４２とにより平面視Ｌ型に形成されている。そして、ネック体４における立上部４３の上端には、握り部（図示せず）を備えたシャフト３の下端部が連結されている。【００１２】  そして、ネック体４がその摺動横杆４１を介して取付頭部５１の摺動孔５１ａに摺動可能に支持され、かつ、取付頭部５１には図３に示すように摺動横杆４１を任意の左右摺動位置で固定してクラブヘッド２の重心位置を左右において変更する締付ネジ（第２固定具）７が設けられている。【００１３】  次に、本発明のゴルフパター１の作用について説明する。【００１４】  まず、本発明のゴルフパター１は、平面視Ｔ字型のクラブヘッド２で、ネック体４がクラブヘッド２の上部中心線上の後方部に取付けられる構造であるから、重心深度が深めで、ヘッド重量も重めであり、そのため、クラブヘッド２が前に出やすく、つまりインパクト時に重心は未だ後に残っているのでクラブヘッド２がインパクト後前に動く分ボールの転がりがよくなる。したがって、プレーヤーの高度なタッチを必要とすることなく、パターそのものにより仕事をさせることが可能となる。【００１５】  また、摺動体５の前端上部から上方に突出する取付頭部５１と、取付頭部５１の左右側面からクラブフェース面とほぼ平行で水平に延びる摺動横杆４１と、摺動横杆４１の基部からクラブフェース面に対しほぼ垂直でクラブフェース部２１の上方近くに延びる水平部４���と、水平部４２の終端から上方に立ち上がる立上部４３とを備えて平面視Ｌ型を呈しているので、きちんと目標に向けて正確なストロークを容易に得ることができながら、摺動体５の前端上部の取付頭部５１における第１支点と、クラブフェース２の上方近くのシャフト３と立上部４３との連結部における第２支点との組合せによる２個所の支点により、スィートエリアを外れてボールを打った場合でも、クラブヘッド２の重心を中心に回転しようとする力を効果的に抑制し、クラブヘッド２が回転しないようにすることができる。【００１６】  そして、各ゴルフ場のグリーンの芝などの状況に応じてクラブヘッド２の重心位置を前後に変更する際には、図３に示すように固定ボルト６を緩めた後摺動体５をヘッド本体２２に対して実線矢印方向に移動させ、所望の移動位置で固定ボルト６を締め付けて摺動体５をヘッド本体２２に固定すればよい。【００１７】  その場合、ネック体４とシャフト３との連結位置をヘッドフェース部２１の前面側に位置させたときには、ボールを打った際にクラブヘッド２が殴打点から前に先行しにくくなる。したがって、グリーンの芝が比較的短い場合になどにおいてプレーヤーのタッチを重視して距離感をきちんと出すのに適している。また、ネック体４とシャフト３との連結位置をヘッドフェース部２１から後方に離れて位置させたときには、ボールを打った際にクラブヘッド２が殴打点から前に出やすく、つまりインパクト時に重心は未だ後に残っているのでクラブヘッド２がインパクト後前に動く分ボールの転がりがよくなる。したがって、例えばグリーンの芝が比較的長い場合になどにおいてプレーヤーの高度なタッチを必要とすることなく、パター１そのものにより仕事をさせることが可能となる。さらに、ネック体４とシャフト３との取付位置がヘッドフェース部２１の背面のほぼ真上に位置させたときには、ボールを打った際にボールを正確にヒットさせ易くなると共に、インパクト時に重心はやや後方に残ることになるのでボールの転がりもよくなり、オーソドックスな打ち方をする場合に適している。【００１８】  さらに、各プレーヤーによってシャフト３の握り方や姿勢、振り方等がそれぞれ異なることから、自分に合うようにクラブヘッド２の左右方向の重心位置を変更する際には、図３に示すように締付ネジ７を緩めた後摺動横杆４１を取付基部２２に対して左右方向（図３の点線矢印方向）に移動させ、所望の移動位置で締付ネジ７を締め付けて摺動体５をヘッド本体２２に固定すればよい。【００１９】  加えて、上記摺動体５のヘッド本体２２に対する固定位置を後方に位置させた場合、微妙にぶれ易くなるといった傾向にあり、その解決策として、摺動横杆４１を取付基部５１の摺動孔５１ａに対してより深く差し込むように移動させ、シャフト３とネック体４との連結部をヘッド本体２２の左右センターよりに移動させればストロークを一層安定させることができる。【００２０】  また、ネック体４の摺動横杆４１がクラブヘッド２の前後方向中間部の左右方向の垂直ラインの役目を果たすことができるので、クラブフェース部２１の垂直ラインと摺動横杆４１の垂直ラインとの両ラインを見てクラブヘッドの傾きを合わせることができ、クラブフェース面の傾き具合を正確に確認し易く所望するラインに合わせて容易にストロークすることが可能になる。【００２１】  以上のように、固定ボルト６による固定を解除して摺動体５のヘッド本体２２に対する前後方向の固定位置を選択変更することにより、各ゴルフ場のグリーンの芝などの状況に合わせて迅速容易にクラブヘッド２の重心位置を前後に変更することができ、また、締付ネジ７による固定を解除して摺動横杆４１の取付頭部５１に対する固定位置を選択変更することにより、ネック体４を任意の左右摺動位置で固定してクラブヘッドの重心位置を左右方向についても上記した前後方向と共に変更することができる。これにより、各プレーヤそれぞれに合うようにクラブヘッドの重心位置を平面的な広範囲において選択変更することが可能で、各プレーヤに合った最適なストロークを行うことが可能になる。
【図面の簡単な説明】
【００２２】
【図１】    本発明に係るゴルフパターの斜視図である。
【図２】    同ゴルフパターの分解斜視図である。
【図３】    同ゴルフパターの平面図である。
【図４】    同ゴルフパターの底面図である。
【図５】    同ゴルフパターの正面図である。
【図６】    同ゴルフパターの背面図である。
【図７】    同ゴルフパターの側面図である。
【符号の説明】
【００２３】１          ゴルフパター
２          クラブヘッド
３          シャフト
４          ネット体
５          摺動体
２１        クラブフェース部
２２        ヘッド本体
２２ａ      摺動溝
２１        クラブフェース部
４１        摺動横杆
５１        取付頭部
５１ａ      摺動孔
６          固定ボルト
７          締付ネジ
【図１】
2008253716.tif 000003
【図２】
2008253716.tif 000004
【図３】
2008253716.tif 000005
【図４】
2008253716.tif 000006
【図５】
2008253716.tif 000007
【図６】
2008253716.tif 000008
【図７】
2008253716.tif 000009